(57)【特許請求の範囲】
【請求項１】
光ディスクの記録面に対してレーザ光を照射して情報記録、情報読み取り、もしくは両者を行う光ディスク装置であって、
当該装置にセットされたディスクを回転駆動させる回転手段と、
当該ディスクに対してレーザ光を照射する光ピックアップと、
セットされたディスクが、所定の光ディスクの規格に適合する形状とほぼ同形状のディスクであって、
円盤状の基板層と、レーザ光が照射されることによって互いに異なる色で発色する複数の発色層であって、色毎に、それぞれ発色するエネルギーが異なるとともに、発色するエネルギーが小さい順に前記基板層の一方の面に順次積層される一方、それぞれ異なる波長の紫外線で定着する発色層とを具備するディスクである場合に、当該ディスクに対する画像形成を行う旨の指示があったとき、
前記複数の色毎の画像情報を含むカラー画像データに基づいて、前記光ピックアップから照射するレーザ光を制御して前記ディスクのいずれか１色の発色層を発色させる手段であって、発色させる色の画像情報に基づいて当該色の発色層を発色させるエネルギーで前記レーザ光を照射させる単色発色制御を、前記発色層の色の分だけ、発色するエネルギーが小さい色の順番で行う照射制御手段と、
少なくとも、発色するのに最もエネルギーが大きい色の発色層を除いた色の発色層を定着させる波長の紫外線を、前記発色層に照射する紫外線照射手段と、
を具備し、
前記紫外線照射手段は、１つの色について単色発色制御が終了すると、当該色に対応する波長の紫外線を前記発色層に照射させる
ことを特徴とする光ディスク装置。
【発明の詳細な説明】
【０００１】
【発明の属する技術分野】
本発明は、レーザ光を照射することで複数色からなる可視画像を形成することができる光ディスク装置に関する。
【０００２】
【従来の技術】
従来より、ＣＤ−Ｒ（Compact Disc-Recordable）やＣＤ−ＲＷ（Compact Disc-Rewritable）などの記録可能な光ディスクが販売等されている。これらの光ディスクに音楽データなどの各種データを記録する場合、ＣＤ−Ｒドライブ装置やＣＤ−ＲＷドライブ装置などの光ディスク記録装置が用いられる。これらの光ディスク記録装置では、光ディスクの一方の面に形成された記録面に対して記録すべき情報に応じたレーザ光を照射することにより情報記録を実施している。
【０００３】
ところで、上述したような光ディスクでは、音楽データ等が記録される記録面と反対側の面に、記録面に記録した音楽データの楽曲タイトルや、記録したデータを識別するためのタイトル等の可視情報を印刷したラベルを貼り付ける等したものある。このような光ディスクは、プリンタ装置等によって円形のラベルシート上にタイトル等の印刷を施し、当該ラベルシートを光ディスクにおける記録面と反対側の面に貼り付けることにより作製されている。
【０００４】
【発明が解決しようとする課題】
しかし、上記のようにタイトル等の所望の可視情報をラベル面に記録した光ディスクを作製する場合には、光ディスク記録装置とは別のプリンタ装置が必要となる。したがって、光ディスク記録装置を用いて、ある光ディスクの記録面に記録を行った後、該光ディスクを光ディスク記録装置から取り出して、上記のように別にプリンタ装置によって印刷が行われたラベルシートを貼り付けるといった煩雑な作業を行わなくてはない。また、ディスクの一方の面に感熱面を形成した光ディスクを用意し、当該光ディスクを光ディスク記録装置にセットしてその感熱面にレーザ光を照射することで感熱面を変色させて可視画像を形成するといった方法も提案されているが、従来提案されている方法では、カラー画像データ等に基づいて複数色の可視画像を形成することはできなかった。
【０００５】
本発明は、上記の事情を考慮してなされたものであり、新たな装置等を個別に用意したりすることなく、光ディスク装置を用いて複数色の可視画像を形成することができる光ディスク装置を提供することを目的とする。
【００３１】
【課題を解決するための手段】
上記課題を解決するため、本発明に係る光ディスク装置は、光ディスクの記録面に対してレーザ光を照射して情報記録、情報読み取り、もしくは両者を行う光ディスク装置であって、当該装置にセットされたディスクを回転駆動させる回転手段と、当該ディスクに対してレーザ光を照射する光ピックアップと、セットされたディスクが、所定の光ディスクの規格に適合する形状とほぼ同形状のディスクであって、円盤状の基板層と、レーザ光が照射されることによって互いに異なる色で発色する複数の発色層であって、色毎に、それぞれ発色するエネルギーが異なるとともに、発色するエネルギーが小さい順に前記基板層の一方の面に順次積層される一方、それぞれ異なる波長の紫外線で定着する発色層とを具備するディスクである場合に、当該ディスクに対する画像形成を行う旨の指示があったとき、前記複数の色毎の画像情報を含むカラー画像データに基づいて、前記光ピックアップから照射するレーザ光を制御して前記ディスクのいずれか１色の発色層を発色させる手段であって、発色させる色の画像情報に基づいて当該色の発色層を発色させるエネルギーで前記レーザ光を照射させる単色発色制御を、前記発色層の色の分だけ、発色するエネルギーが小さい色の順番で行う照射制御手段と、少なくとも、発色するのに最もエネルギーが大きい色の発色層を除いた色の発色層を定着させる波長の紫外線を、前記発色層に照射する紫外線照射手段と、を具備し、前記紫外線照射手段は、１つの色について単色発色制御が終了すると、当該色に対応する波長の紫外線を前記発色層に照射させることを特徴としている。
【００３５】
【発明の実施の形態】
以下、図面を参照して本発明の実施形態について説明する。
Ａ．第１実施形態
本発明の第１実施形態に係る画像形成方法は、光ディスクに対してレーザ光を照射して音楽データ等の各種データを記録することができる光ディスク記録再生装置を用い、複数色からなる画像、つまりカラー画像を光ディスクのレーベル面に形成することができる画像形成方法であり、まず当該方法に用いられる光ディスクおよび光ディスク記録再生装置の構成について各々説明する。
【００３６】
Ａ−１．光ディスクの構成
図１に示すように、本実施形態に係る画像形成方法に用いられる光ディスクＤは、レッドブックに規定されているＣＤ、オレンジブックに規定されているＣＤ−Ｒ、ＣＤ−ＲＷ等の光ディスクと外観形状、寸法がほぼ同じ円盤状のディスクであり、その中央部には記録・再生時に光ディスク記録再生装置等によるチャッキングを可能とするための円形の孔１が形成されている。ここで、上記規格にしたがったディスクと寸法がほぼ同じとは、従来の一般的なＣＤ−ＲＯＭドライブ装置やＣＤ−Ｒドライブ装置といった光ディスク装置によって回転させられるなど、当該装置によって上記の規格にしたがった光ディスクと同様に扱える程度の寸法の範囲をいう。
【００３７】
本実施形態に係る光ディスクＤは、一方の面（図の上側の面：以下記録面という）にＣＤ−Ｒと同様、音楽データやプログラムデータ等を記録することが可能であり、他方の面（図の下側の面：以下画像面という）にカラー可視画像を形成することが可能な円盤状の光ディスクであり、その断面の模式的な構成を図２に示す。図２に示すように、この光ディスクＤは、保護層２０１と、記録層２０２と、反射層２０３と、保護層２０４と、青色発色層２０５、緑色発色層２０６および赤色発色層２０７の三層積層構成の発色層２１０と、保護層２０８とを有しており、これらが記録面側からこの順序で積層された構造となっている。なお、図は光ディスクＤの構造を模式的に示しており、各層の寸法比等はこの図に示される通りではない。
【００３８】
記録層２０２には、その面上に螺旋状にグルーブ（案内溝）２０２ａが形成されており、当該光ディスクＤに対してデータを記録するとき、もしくは記録したデータを読み取るときには、光ディスク記録再生装置はこのグルーブ２０２ａに沿ってレーザ光を照射することになる。したがって、データを記録する時には、当該光ディスクＤの記録面を光ディスク記録再生装置の光ピックアップと対向するようにセットし、当該光ピックアップが照射するレーザ光を上記グルーブ２０２ａに沿って移動させつつ、記録データに対応したレーザ光制御を行うことによりデータ記録が行われる。一方、当該光ディスクＤの画像面にカラー可視画像を形成する場合には、当該画像面がディスク記録再生装置の光ピックアップと対向するように光ディスクＤをセットする。そして、後述する光ディスク記録再生装置の光ピックアップから、青色発色層２０５、緑色発色層２０６および赤色発色層２０７からなる発色層２１０にレーザ光を照射することにより、これらの発色層２１０の発色層を適宜発色させてカラー画像データに対応したカラー可視画像を形成する。以上のようにこの光ディスクＤは、青色発色層２０５、緑色発色層２０６および赤色発色層２０７が設けられている以外は従来から使用されているＣＤ−Ｒとほぼ同様の構成であり、記録層２０２等の詳細な構成についてはその説明を省略する。
【００３９】
上述したように発色層２１０は、レーザ光が照射されることに起因して生じる熱によって青色に発色する青色発色層２０５と、緑色に発色する緑色発色層２０６と、赤色に発色する赤色発色層２０７といった３原色をそれぞれ発色することが可能な発色層を有している。
【００４０】
図３に模式的に示すように、発色層２１０は厚みが約３０μｍ程度であり、青色発色層２０５、緑色発色層２０６および赤色発色層２０７には、各々直径約１μｍ程度のカプセル２０６ａ，２０７ａ，２０８ａが多数分散されており、これらのカプセルには発色材が封じ込められている。本実施形態では、各カプセル２０６ａ，２６７ａ，２０８ａに封入される発色材として、ジアゾニウム塩化化合物が用いられており、各々発色層に熱が加わるとカプセルが開き、その内部に封入された発色材と各発色層の顕色材とが反応して、各々の色に発色するようになっている。
【００４１】
ここで、各発色層に含まれるカプセル２０６ａ，２０７ａ，２０８ａに封入される発色材は、図４に示すように、各々発色感度のエネルギー帯域が異なっている。つまり、青色の発色材は小さいエネルギーが印加された場合にも発色し、赤色の発色材は大きいエネルギーが印加された場合にのみ発色し、緑色の発色材はその中間ぐらいのエネルギーを印加された場合に発色するようになっている。
【００４２】
また、青色、緑色、赤色の発色材は各々異なる波長の紫外線を照射することにより分解するようになっており、これにより上記のように所定のエネルギーが印加された青色発色層２０５および緑色発色層２０６が発色した後、各々対応する波長の紫外線を照射することで、当該発色（発色していない部分を含む）状態を定着させることができる。
なお、この実施形態では、光ディスクＤが、各々異なる色に発色するカプセル２０６ａ，２０７ａ，２０８ａを各々異なる発色層２０５，２０６，２０７に含ませた構成となっているが、１つの発色層にこれらの３つのカプセル２０６ａ，２０７ａ，２０８ａを含ませるようにし、１つの発色層が印加エネルギーに応じて複数色に発色できるような構成としてもよい。光ディスクＤと同様、各々の発色層は異なる波長の紫外線を照射することで定着させることができるようなものを使用すればよい。
以上が本実施形態に係る画像形成方法で用いられる光ディスクＤの構成である。
【００４３】
Ａ−２．光ディスク記録再生装置の構成
次に、上記構成の光ディスクＤの画像面に対してレーザ光を照射してカラー画像を形成することができる光ディスク記録再生装置の構成について説明する。図５に示すように、この光ディスク記録再生装置１００は、ホストパーソナルコンピュータ（ＰＣ）１１０に接続されており、光ピックアップ１０と、スピンドルモータ１１と、ＲＦ（Radio Frequency）アンプ１２と、サーボ回路１３と、デコーダ１５と、制御部（照射制御手段、定着手段）１６と、エンコーダ１７と、ストラテジ回路１８と、レーザドライバ１９と、レーザパワー制御回路２０と、周波数発生器２１と、ステッピングモータ３０と、モータドライバ３１と、モータコントローラ３２と、ＰＬＬ（Phase Locked Loop）回路３３と、ＦＩＦＯ（First In First Out）メモリ３４と、駆動パルス生成部３５と、バッファメモリ３６と、紫外線蛍光灯（定着手段）４５と、紫外線蛍光灯（定着手段）４６とを備えている。
【００４４】
スピンドルモータ１１は、データを記録する対象となる光ディスクＤを回転駆動するモータであり、サーボ回路１３によりその回転数が制御される。本実施形態における光ディスク記録再生装置１００では、ＣＡＶ（Constant Angular Velocity）方式で記録等を実施するようになっているので、スピンドルモータ１１は制御部１６等からの指示で設定された一定の角速度で回転するようになっている。
【００４５】
光ピックアップ１０は、スピンドルモータ１１によって回転させられる光ディスクＤに対してレーザ光を照射するユニットであり、その構成を図６に示す。同図に示すように、光ピックアップ１０はレーザ光Ｂを出射するレーザーダイオード５３と、回折格子５８と、レーザ光Ｂを光ディスクＤの面に集光する光学系５５と、反射光を受光する受光素子５６とを備えている。
【００４６】
光ピックアップ１０において、レーザーダイオード５３は、レーザドライバ１９（図５参照）から駆動電流が供給されることにより該駆動電流に応じた強度のレーザ光Ｂを出射する。光ピックアップ１０は、レーザーダイオード５３より出射されたレーザ光Ｂを回折格子８により主ビームと先行ビームと後行ビームに分離し、この３つのレーザ光を偏光ビームスプリッタ５９、コリメータレンズ６０、１／４波長板６１、対物レンズ６２を経て、光ディスクＤの面に集光させる。そして、光ディスクＤの面で反射された３つのレーザ光を、再び対物レンズ６２、１／４波長板６１、コリメータレンズ６０を透過させて、偏向ビームスプリッタ５９で反射させ、シリンドリカルレンズ６３を経て、受光素子５６に入射させるようになっている。受光素子５６は受光した信号をＲＦアンプ１２（図２参照）に出力し、該受光信号がＲＦアンプ１２を介して制御部１６やサーボ回路１３に供給されるようになっている。
【００４７】
対物レンズ６２は、フォーカスアクチュエータ６４およびトラッキングアクチュエータ６５に保持されて、レーザ光Ｂの光軸方向および光ディスクＤの径方向に移動できるようになっている。フォーカスアクチュエータ６４およびトラッキングアクチュエータ６５の各々は、サーボ回路１３（図２参照）から供給されるフォーカスエラー信号およびトラッキングエラー信号に応じて対物レンズ６２を光軸方向および径方向に移動させる。なお、サーボ回路１３は、受光素子５６およびＲＦアンプ１２を介して供給される受光信号に基づいてフォーカスエラー信号およびトラッキングエラー信号を生成し、上記のように対物レンズ６２を移動させることでフォーカス制御およびトラッキング制御を行う。
【００４８】
また、光ピックアップ１０には、図示しないフロントモニターダイオードを有しており、レーザーダイオード５３がレーザ光を出射しているときに、当該出射光を受光したフロントモニタダイオードに電流が生じ、当該電流が光ピックアップ１０から図５に示すレーザパワー制御回路２０に供給されるようになっている。
【００４９】
ＲＦアンプ１２は光ピックアップ１０から供給されたＥＦＭ（Eight to Fourteen Modulation）変調されたＲＦ信号を増幅し、増幅後のＲＦ信号をサーボ回路１３およびデコーダ１５にＲＦ信号を出力する。デコーダ１５は、再生時にはＲＦアンプ１２から供給されるＥＦＭ変調されたＲＦ信号をＥＦＭ復調して再生データを生成する。
【００５０】
サーボ回路１３には、制御部１６からの指示信号、周波数発生器２１から供給されるスピンドルモータ１１の回転数に応じた周波数のＦＧパルス信号、およびＲＦアンプ１２からのＲＦ信号が供給される。サーボ回路１３は、これらの供給される信号に基づいて、スピンドルモータ１１の回転制御および光ピックアップ１０のフォーカス制御、トラッキング制御を行う。光ディスクＤの記録面（図１参照）に情報を記録する時や、光ディスクＤの画像面（図１参照）に可視画像を形成する場合のスピンドルモータ１１の駆動方式としては、光ディスクＤを角速度一定で駆動する方式（ＣＡＶ：Constant Angular Velocity）方式や、一定の記録線速度となるように光ディスクＤを回転駆動する方式（ＣＬＶ：Constant Linear Velocity）のいずれを用いるようにしてもよく、本実施形態に係る光ディスク記録装置１００では、ＣＡＶ方式を採用しており、サーボ回路１３はスピンドルモータ１１を制御部１６によって指示された一定の角速度で回転駆動させる。
【００５１】
バッファメモリ３６は、ホストＰＣ１１０から供給される、光ディスクＤの記録面に記録すべき情報（以下、記録データという）および光ディスクＤの画像面に形成すべき可視画像に対応した情報（以下、画像データ）を蓄積する。そして、バッファメモリ３６に蓄積された記録データをエンコーダ１７に出力され、画像データは制御部１６に出力される。
【００５２】
エンコーダ１７は、バッファメモリ３６から供給される記録データをＥＦＭ変調し、ストラテジ回路１８に出力する。ストラテジ回路１８は、エンコーダ１７から供給されたＥＦＭ信号に対して時間軸補正処理等を行い、レーザドライバ１９に出力する。
【００５３】
レーザドライバ１９は、ストラテジ回路１８から供給される記録データに応じて変調された信号と、レーザパワー制御回路２０の制御にしたがって光ピックアップ１０のレーザダイオード５３（図６参照）を駆動する。
【００５４】
レーザパワー制御回路２０は、光ピックアップ１０のレーザダイオード５３（図６参照）から照射されるレーザパワーを制御するものである。具体的には、レーザパワー制御回路２０は、制御部１６によって指示される最適なレーザパワーの目標値と一致する値のレーザ光が光ピックアップ１０から照射されるようにレーザドライバ１９を制御する。ここで行われるレーザパワー制御回路２０によるレーザパワー制御は、光ピックアップ１０のフロントモニタダイオードから供給される電流値を用い、目標となる強度のレーザ光が光ピックアップ１０から照射されるように制御するフィードバック制御である。
【００５５】
ＦＩＦＯメモリ３４には、ホストＰＣ１１０から供給されバッファメモリ３６に蓄積された画像データが制御部１６を介して供給され順次蓄積される。ここで、ＦＩＦＯメモリ３４に蓄積される画像データ、すなわちホストＰＣ１１０から当該光ディスク記録装置１００に供給される画像データは以下のような情報を含んでいる。この画像データは、円盤状の光ディスクＤの面上に可視画像を形成するためのデータであり、図７に示すように、光ディスクＤの中心Ｏを中心とした多数の同心円上のｎ個の各座標（図中黒点で示す）毎にどのような色に発色させるかを示す画像情報が記述されている。なお、図７は各座標の位置関係を明瞭に示すために模式的に示す図であり、実際の各座標は図示したものよりも密に配置されることになる。また、ホストＰＣ１１０において、一般的に使用されるビットマップ形式等で光ディスクＤの感光面に形成する画像データを作成した場合には、当該ビットマップデータを上記のような極座標形式のデータに変換し、変換後の画像データをホストＰＣ１１０から光ディスク記録装置１００に送信するようにすればよい。
【００５６】
より具体的には、青、緑、赤色の三原色の発色具合を制御することで種々の色を表すことができるので、各座標毎に発色すべき色に応じた青色、緑色、赤色の各発色濃度を示す情報（以下、濃度を示す情報という）が記述されている。当該画像データは、これらの各座標の色毎の濃度を示す情報が最内周側の円に属する座標点Ｐ１１、Ｐ１２……Ｐ１ｎ、その１つ外周側の円に属する座標Ｐ２１、Ｐ２２……Ｐ２ｎ、さらにその１つ外周側の円に属する座標といった順序で最外周の円の座標Ｐｍｎまでの各々座標点の色情報が記述されたカラー画像データであり、ＦＩＦＯメモリ３４にはこのような極座標上の各座標の色情報が各色事に順序で供給されることになる。つまり、図８に示すように、まず青色の発色濃度を示す情報が座標点Ｐ１１、Ｐ１２……Ｐｍｎといった順序で供給され、これに後緑色の発色濃度を示す情報が座標点Ｐ１１、Ｐ１２……Ｐｍｎといった順序で供給され、さらにこの後に赤色の発色濃度を示す情報が座標点Ｐ１１、Ｐ１２……Ｐｍｎといった順序で供給される。なお、当該カラー画像データには、各色についての座標毎の濃度を示す情報の先頭に、以降供給されるデータがどの色についてのものであるかを示すヘッダー情報ＨＤが付加されている。
【００５７】
上記のように供給されるカラー画像データに基づいて、光ディスクＤの画像面に対して可視画像を形成する場合、ＦＩＦＯメモリ３４には、ＰＬＬ回路３３から画像記録用のクロック信号が供給されるようになっている。ＦＩＦＯメモリ３４は、この画像記録用のクロック信号のクロックパルスが供給される毎に、最も先に蓄積された一つの座標に対応する色情報（１色についての色情報）を駆動パルス生成部３５に出力するようになっている。
【００５８】
駆動パルス生成部３５は、光ピックアップ１０から照射するレーザ光の照射タイミング等を制御する駆動パルスを生成する。ここで、駆動パルス生成部３５は、ＦＩＦＯメモリ３４から供給される各座標毎の濃度を示す情報に応じたパルス幅の駆動パルスを生成する。例えば、ある座標の濃度を示す情報に示される濃度が比較的大きい場合には、図９上段に示すようにライトレベルのパルス幅を大きくした駆動パルスを生成し、一方濃度が比較的小さい座標については図９下段に示すようにライトレベルのパルス幅を小さくした駆動パルスを生成する。また、本実施形態では、青色、緑色、赤色といった３原色の発色濃度を適宜調整することにより、視認する者に対して多数色の画像が形成されているかのように見せる手法を採用しているので、１つの座標の画像を表現するための光ディスクＤ上の領域のうち、表現すべき色に応じて各々の色の発色すべき領域が決定されるようになっている。したがって、各座標毎の濃度を示す情報には、目標の色を発色するためにその色（青、緑、赤のいずれか）を発色させるべき領域の大きさに関する情報が含まれており、駆動パルス生成部３５は当該情報に応じたパルス幅のパルス信号を生成することができる。
【００５９】
ここで、ライトレベルとは、そのレベルのレーザパワーを光ディスクＤの画像面に照射した際に画像面（発色層２１０）が明らかに変色するパワーレベルであり、上記のような駆動パルスがレーザドライバ１９に供給された場合、そのパルス幅に応じた時間だけライトレベルのレーザ光が光ピックアップ１０から照射される。したがって、色情報が大きい場合にはより長くライトレベルのレーザ光が照射され、光ディスクＤの画像面の単位領域中のより大きな領域が変色することになり、この結果ユーザ等はこの領域が濃度の濃い領域であると視認することになる。本実施形態では、このように単位領域（単位長さ）あたりの変色させる領域の長さを可変することにより、カラー画像データに示される濃度を表現するようにしているのである。
【００６０】
一方、サーボレベルとは、そのレベルのレーザパワーを光ディスクＤの画像面に照射した際に画像面がほとんど変化しないパワーレベルであり、変色させる必要がない領域に対してはライトレベルのレーザ光を照射せずに当該サーボレベルのレーザ光を照射すればよい。
【００６１】
なお、上述したように光ディスクＤの発色層２１０は、３つの青色発色層２０５、緑色発色層２０６および赤色発色層２０７といった発色レベルの異なる発色層を有しており（図４参照）、各々の発色層を発色させるために必要となるエネルギーが印加されるよう各々の発色層を発色させるためのレーザパワーを異ならせている。
【００６２】
また、駆動パルス生成部３５は、上記のような各座標毎の階調度を示す情報にしたがった駆動パルスを生成するとともに、レーザパワー制御回路２０によるレーザパワー制御や、サーボ回路１３によるフォーカス制御およびトラッキング制御を実施するために必要がある場合には、色情報に示される濃度にかかわらず、非常に短い期間のライトレベルのパルスを挿入したり、サーボレベルのパルスを挿入する。例えば、図１０上段に示すように、画像データ中のある座標の濃度にしたがって可視画像を表現するために、時間Ｔ１の期間ライトレベルのレーザ光を照射する必要がある場合であって、該時間Ｔ１がレーザパワーを制御するための所定のサーボ周期ＳＴよりも長い場合には、ライトレベルのパルスを生成した時点からサーボ周期ＳＴが経過した時点で非常に短い時間ｔのサーボ用オフパルス（ＳＳＰ１）を挿入する。一方、図１０下段に示すように、画像データ中のある座標の階調度にしたがって可視画像を表現するためにサーボ周期ＳＴ以上の期間サーボレベルのレーザ光を照射する必要がある場合には、サーボレベルのパルスが生成されてからサーボ周期ＳＴ経過後にサーボ用オンパルス（ＳＳＰ２）を挿入する。
【００６３】
上述したようにレーザパワー制御回路２０によるレーザパワー制御は、光ピックアップ１０のレーザーダイオード５３（図６参照）から照射されるレーザ光を受光したフロントモニターダイオードから供給される電流（照射レーザ光の強度に応じた値の電流）に基づいて実施されることになる。より具体的には、図１１に示すように、レーザパワー制御回路２０は、上記のようなフロントモニターダイオード５３ａによって受光される照射レーザ光の強度に応じた値をサンプルホールドする（Ｓ２０１、Ｓ２０２）。そして、ライトレベルを目標値として照射しているとき、すなわちライトレベルの駆動パルス（図９，図１０参照）が生成されているときにサンプルホールドした結果に基づいて、制御部１６から供給されるライトレベル目標値のレーザ光が照射されるようレーザパワー制御を行う（Ｓ２０３）。また、サーボレベルを目標値として照射しているとき、すなわちサーボレベルの駆動パルス（図９，図１０参照）が生成されているときにサンプルホールドした結果に基づいて、制御部１６から供給される目標サーボレベル値のレーザ光が照射されるようレーザパワー制御を行う（Ｓ２０４）。したがって、ライトレベルもしくはサーボレベルのパルスが所定のサーボ周期ＳＴ（サンプル周期）より長い時間継続して出力されない場合には、画像データの内容に拘わらず上記のようにサーボ用オフパルスＳＳＰ１、サーボ用オンパルスＳＳＰ２を強制的に挿入し、上記のような各々のレベル毎にレーザパワー制御ができるようにしているのである。
【００６４】
サーボ回路１３には、制御部１６からの制御信号、周波数発生器２１から供給されるスピンドルモータ１１の回転数に応じた周波数のＦＧパルス信号、およびＲＦアンプ１２からのＲＦ信号が供給される。サーボ回路１３は、これらの供給される信号に基づいて、スピンドルモータ１１の回転制御および光ピックアップ１０のフォーカス制御、トラッキング制御を行う。なお、上述したように反射率の小さい領域に対してレーザ光を照射する際にはＲＦ信号はフォーカス制御に利用されない。また、光ディスクＤの画像面に可視画像を形成する際には、記録面に対して記録する際と異なり、予め形成されたグルーブ（案内溝）等に沿って照射位置をトレースするといった必要がない。したがって、本実施形態では、トラッキング制御の目標値は固定値としている（トラッキングアクチュエータに一定のオフセット電圧を設定している）。
【００６５】
本実施形態では、光ディスクＤの記録面にデータを記録する場合や、光ディスクＤの画像面にカラー可視画像を形成する場合のスピンドルモータ１１の駆動方式としてＣＡＶ方式を採用しており、サーボ回路１３はスピンドルモータ１１を制御部１６によって指示された一定の角速度で回転駆動させる。
【００６６】
バッファメモリ３６は、ホストＰＣ１１０から供給される、光ディスクＤの記録面に記録すべき情報（以下、記録データという）および光ディスクＤの画像面に形成すべき可視画像に対応した情報（以下、画像データ）を蓄積する。そして、バッファメモリ３６に蓄積された記録データをエンコーダ１７に出力され、画像データは制御部１６に出力される。
【００６７】
エンコーダ１７は、バッファメモリ３６から供給される記録データをＥＦＭ変調し、ストラテジ回路１８に出力する。ストラテジ回路１８は、エンコーダ１７から供給されたＥＦＭ信号に対して時間軸補正処理等を行い、レーザドライバ１９に出力する。
【００６８】
レーザドライバ１９は、ストラテジ回路１８から供給される記録データに応じて変調された信号と、レーザパワー制御回路２０の制御にしたがって光ピックアップ１０のレーザダイオード５３（図６参照）を駆動する。
【００６９】
レーザパワー制御回路２０は、光ピックアップ１０のレーザダイオード５３（図６参照）から照射されるレーザパワーを制御するものである。具体的には、レーザパワー制御回路２０は、制御部１６によって指示される最適なレーザパワーの目標値と一致する値のレーザ光が光ピックアップ１０から照射されるようにレーザドライバ１９を制御する。ここで行われるレーザパワー制御回路２０によるレーザパワー制御は、光ピックアップ１０のフロントモニタダイオードから供給される電流値を用い、目標となる強度のレーザ光が光ピックアップ１０から照射されるように制御するフィードバック制御である。
【００７０】
なお、上記のようにサーボ用オフパルスＳＳＰ１やサーボ用オンパルスＳＳＰ２を挿入する時間は、レーザパワー制御の実行に支障をきたさない範囲で最小の時間とすることが好ましく、挿入時間を非常に短くすることで、形成される可視画像にほとんど影響を与えることなく、上記のようなサーボを行うことができる。
【００７１】
図５に戻り、ＰＬＬ回路３３は、周波数発生器２１から供給されるスピンドルモータ１１の回転速度に応じた周波数のＦＧパルス信号を逓倍し、後述する可視画像形成のために用いられるクロック信号を出力する。周波数発生器２１は、例えばホール素子などを利用してスピンドル回転数に応じた周波数のＦＧパルス信号を出力する。例えば、図１２上段に示すように、周波数発生器２１がスピンドルモータ１１が１回転、すなわち光ディスクＤが１回転している間に８個のＦＧパルスを生成するものである場合に、図１２下段に示すように、ＰＬＬ回路３３は当該ＦＧパルスを逓倍したクロック信号を出力する、つまりスピンドルモータ１１によって回転させられる光ディスクＤの回転速度に応じた周波数のクロック信号を出力する。本実施形態では、上述したカラー画像データ（図７参照）において１つの同心円上に属する座標の数、つまりｎ個のクロック信号が得られるようＦＧパルスを逓倍する。このようにＦＧパルス信号を逓倍したクロック信号がＰＬＬ回路３３からＦＩＦＯメモリ３４に出力され、該クロック信号に１周期毎、つまりある一定角度分ディスクＤが回転するといったようにレーザ光照射位置が一定量移動する毎に１つの座標の濃度を示すデータがＦＩＦＯメモリ３４から駆動パルス生成部３５に出力されるのである。なお、上記のようにＰＬＬ回路３３を用いてＦＧパルスを逓倍したクロック信号を生成するようにしてもよいが、スピンドルモータ１１として、回転駆動能力が十分に安定しているモータを用いた場合には、ＰＬＬ回路３３に代えて水晶発振器を設け、上記のようなＦＧパルスを逓倍したクロック信号、すなわち光ディスクＤの回転速度に応じた周波数のクロック信号を生成するようにしてもよい。
【００７２】
ステッピングモータ３０は、光ピックアップ１０を当該装置にセットされた光ディスクＤの径方向に移動させるためのモータである。モータドライバ３１は、モータコントローラ３２から供給されるパルス信号に応じた量だけステッピングモータ３０を回転駆動する。モータコントローラ３２は、制御部１６から指示される光ピックアップ１０の径方向への移動方向および移動量を含む移動開始指示にしたがって、移動量や移動方向に応じたパルス信号を生成し、モータドライバ３１に出力する。ステッピングモータ３０が光ピックアップ１０を光ディスクＤの径方向に移動させること、および光ディスクＤをスピンドルモータ１１が光ディスクＤを回転させることにより、光ピックアップ１０のレーザ光照射位置を光ディスクＤの様々な位置に移動させることができる。
【００７３】
紫外線蛍光灯４５および紫外線蛍光灯４６は、制御部１６からの指示に基づいて、当該光ディスク記録再生装置１００にセットされた光ディスクＤの光ピックアップ１０と対向する側の面に紫外線を照射する。本実施形態では、紫外線蛍光灯４５および紫外線蛍光灯４６は、各々異なる波長の紫外線を照射するものであり、紫外線蛍光灯４５は上述した青色発色層２０５（図３参照）に含まれる発色材を定着させる波長の紫外線を照射し、紫外線蛍光灯４６が緑色発色層２０６（図３参照）に含まれる発色材を定着させる波長の紫外線を照射するようになっている。なお、赤色発色層２０７に含まれる発色材は、上記２つの波長のいずれの紫外線を照射された場合にも定着しない特性を有しており、紫外線蛍光灯４５や紫外線蛍光灯４６が光ディスクＤの画像面に照射されても赤色発色層２０７には影響を与えないようになっている。
【００７４】
制御部１６は、ＣＰＵ（Central Processing Unit）、ＲＯＭ（Read Only Memory）およびＲＡＭ（Random Access Memory）等から構成されており、ＲＯＭに格納されたプログラムにしたがって当該光ディスク記録再生装置１００の装置各部を制御し、光ディスクＤの記録面に対する記録処理、および光ディスクＤの画像面に対する画像形成処理を中枢的に制御するように構成されている。
以上説明したのが本実施形態に係る光ディスク記録再生装置１００の構成である。
【００７５】
Ａ−３．カラー画像形成方法
次に、上記構成の光ディスク記録再生装置１００を用い、上記構成の光ディスクＤの画像面にカラー画像を形成する方法について、上記光ディスク記録再生装置１００の動作を中心に説明する。
【００７６】
図１３および図１４に示すように、当該光ディスク記録再生装置１００に光ディスクＤがセットされると、制御部１６は光ピックアップ１０等を制御し、セットされた光ディスクＤの光ピックアップ１０と対向する面にＡＴＩＰ（Absolute Time In Pregroove）情報が記録されているか否かを検出する（ステップＳａ１）。周知の通り、ＡＴＩＰ情報はＣＤ−Ｒの記録面のプリグルーブに予め記録された情報であり、このようにＡＴＩＰ情報が記録されている場合には光ディスクＤの記録面が光ピックアップ１０と対向するようにセットされていることがわかる。一方、ＡＴＩＰ情報が記録されていない場合には光ディスクＤの画像面が光ピックアップ１０と対向するように光ディスクＤがセットされていることがわかる。すなわち、制御部１６は、上記のようにＡＴＩＰ情報の有無を検出することにより、光ディスクＤがどちら側の面を光ピックアップ１０側に向けてセットされたかを検出しているのである。なお、上記のようにＡＴＩＰ情報の有無によっていずれの面が光ピックアップ１０側に向けてセットされたかを検出する方法以外にも、他の方法、例えばフォーカスサーボを実施した際に、そのサーボ内容に応じていずれの面が光ピックアップ１０側に向けてセットされたかを検出するようにしてもよい。すなわち、いずれの面が光ピックアップ１０側に向けてセットされるかに応じて、光ピックアップ１０とこれに対向する光ディスクＤの対向面との間の距離が大きく異なるので、この距離の差がフォーカスサーボの制御量に現れることになり、この制御量からいずれの面を向けて光ディスクＤがセットされたかを検出することができるのである。また、別の方法として、光ディスクの記録面に記録されているＥＦＭ信号などのデータ検出する方法や、上記それぞれの方法を組み合わせることでいずれの面を向けて光ディスクＤがセットされたかを検出するようにしてもよい。
【００７７】
ここで、セットされた光ディスクＤからＡＴＩＰ情報が検出された場合には、記録面が光ピックアップ１０と対向するように光ディスクＤがセットされていると判断し、制御部１６は記録面に対してホストＰＣ１１０から供給される記録データを記録するための制御を行う（ステップＳａ２）。ここで行われる記録データを記録するための制御は、従来の光ディスク記録再生装置（ＣＤ−Ｒドライブ装置）と同様であるため、その説明を省略する。
【００７８】
一方、セットされた光ディスクＤからＡＴＩＰ情報が検出されない場合には、画像面が光ピックアップ１０と対向するように光ディスクＤがセットされていると判断し、制御部１６はセットされた光ディスクＤのディスクＩＤを取得することができるか否かを判断する（ステップＳａ３）。本実施形態において、光ディスクＤのディスクＩＤとは、記録面および画像面を有する光ディスクＤ（図２参照）の画像面に記録されたディスクＩＤであり、例えば図１５に示すように、ディスクＩＤをコード化した情報に対応する可視画像を光ディスクＤの画像面側の最外周部分の円周に沿って記述しておく。本実施形態では、図示のように、最外周部分の円周に沿って上記コードに応じた長さの反射領域３０１ａと非反射領域３０１ｂとを形成することによりディスクＩＤを光ディスクＤの画像面に記述している。制御部１６は光ディスクＤの最外周の円周に沿って光ピックアップ１０のレーザ光の照射位置をトレースすることにより、その反射光からディスクＩＤを取得する。
【００７９】
したがって、画像面の最外周部分に上記のようなディスクＩＤに対応する反射領域３０１ａおよび非反射領域３０１ｂが形成されていない場合には、当該光ディスクＤは画像面を有しない一般的な光ディスク（ＣＤ−Ｒ等）であると判別することができる。このようにディスクＩＤを取得できない場合は、制御部１６は可視画像の形成が不可能な光ディスクＤであると判断し（ステップＳａ４）、その旨をユーザに通知等するための処理を行う。
【００８０】
一方、光ディスクＤからディスクＩＤを取得することができた場合には、ホストＰＣ１１０から画像データを含む画像形成指示があるまで待機し（ステップＳａ５）、画像形成指示があった場合には制御部１６は光ディスクＤの画像面に可視画像を形成するための初期化制御を行う（ステップＳａ６）。より具体的には、制御部１６は、所定の角速度でスピンドルモータ１１が回転させられるようサーボ回路１３を制御したり、光ピックアップ１０を光ディスクＤの径方向の最内周側の初期位置に移動させるための指示をモータコントローラ３２に送出し、ステッピングモータ３０を駆動させたりする。
【００８１】
初期化制御が制御部１６によって行われると、実際に光ディスクＤの画像面に可視画像を形成するための処理が行われることになる。図１４に示すように、まず制御部１６は、ホストＰＣ１１０からバッファメモリ３６を介して供給されたカラー画像データの中のヘッダー情報ＨＤ（最初に供給されるのは青色を示す情報）を検出すると、ヘッダー情報ＨＤに示される青色発色層２０５を画像データにしたがって発色させるために、青色に対応した目標レーザパワー値をレーザパワー制御回路２０に指示設定する（ステップＳａ７）。
【００８２】
上述したように光ディスクＤの発色層２１０には３つの発色層があり、これらに含まれる発色材の発色に要する印加エネルギーが異なっている。また、この光ディスク記録再生装置１００では、発色に要するエネルギーの小さい順番、つまり青色、緑色、赤色の順番で各色の発色層を発色させるためのレーザ光照射を行うこととしており、発色させる発色層に応じた目標レーザパワー値を設定する。したがって、制御部１６は、ヘッダー情報ＨＤによって識別される色が青色である場合には、目標レーザパワー値をＰｂ（図３参照）に設定する。光ピックアップ１０から照射されるレーザ光の強度をこのような値に設定することで、青色発色層２０５のみが発色し、緑色発色層２０６および赤色発色層２０７については発色しない。これにより、青色発色層２０５のみを発色させることができるのである。
【００８３】
以上のように青色発色層２０５のみを発色させるためのパワー設定を行うと、制御部１６はそのヘッダー情報ＨＤに続く各座標毎の青色の濃度情報からなるカラー画像データに基づいて、青色発色層２０５を発色させるために装置各部を制御する（ステップＳａ９）。
【００８４】
この制御では、まず制御部１６は、青色を示すヘッダー情報ＨＤに続いて供給された各座標毎の濃度情報をＦＩＦＯメモリ３４に転送する。そして、制御部１６は、光ディスクＤが１回転させられる間に周波数発生器２１から供給されるＦＧパルス信号（図１２参照）のうち、いずれか１つのパルス（以下、当該パルスから光ディスクＤが１回転した際に出力されるパルスを基準パルスという）の立ち上がりをトリガーとし、その時点からＰＬＬ回路３３から出力されるクロック信号に同期してＦＩＦＯメモリ３４から画像データを順次出力するよう各部を制御する。この制御により、図１６に示すように、ＦＩＦＯメモリ３４は、ＰＬＬ回路３３からクロックパルスが供給される毎に、１つの座標の濃度を示す情報を駆動パルス生成部３５に出力し、駆動パルス生成部３５は当該情報に示される濃度にしたがったパルス幅の駆動パルスを生成してレーザドライバ１９に出力する。この結果、光ピックアップ１０は、各座標の濃度に応じた時間だけライトレベル（青色に対応したパワーレベルＰｂ）のレーザ光を光ディスクＤの画像面に照射し、これにより図１７（ａ）に示すように、青色発色層２０５におけるライトレベルのレーザ光が照射された領域のみが青色に発色する。
【００８５】
この後、周波数発生器２１から基準パルスが供給されると、つまり上記のように発色のためのレーザ光照射を開始して光ディスクＤが１回転させられると、制御部１６は、モータコントローラ３２に対して所定量だけ光ピックアップ１０を径方向の外周側に移動させるよう指示する。この指示に応じてモータコントローラ３２がモータドライバ３１を介してステッピングモータ３０を駆動し、これにより光ピックアップ１０が所定量だけ外周側に移動させられる。すなわち、光ディスクＤにおけるレーザ光の照射位置を所定量だけ外周側に移動させる。
【００８６】
ここで、光ピックアップ１０を光ディスクＤの径方向に移動させる所定量は、上述したように光ピックアップ１０から照射されるビームスポット径に応じて適宜決定すればよい。すなわち、円盤状の光ディスクＤの画像面に可視画像を形成する際には、光ピックアップ１０のレーザ光照射位置を光ディスクＤの面上ほぼ隙間なく移動させることが、より高品位の画像形成を実現するために必要となる。したがって、上記のような径方向への光ピックアップ１０の単位移動量を、光ディスクＤに対する照射レーザ光のビームスポット径とほぼ同じ長さとすれば、光ディスクＤの面上にほぼ隙間なくレーザ光を照射することができ、より高品位な画像形成が可能となる。なお、画像面の性質等の種々の要因によって照射したビームスポット径よりも大きい領域が発色するケースもあり、このようなケースでは、その発色領域の幅を考慮し、隣り合う発色領域が重ならないよう単位移動量を決めるようにすればよい。
【００８７】
このように光ピックアップ１０の照射位置を外周側に移動させると、制御部１６は、上記と同様に基準パルスをトリガーとしてＰＬＬ回路３３から出力されるクロック信号に同期してＦＩＦＯメモリ３４から画像データを順次出力するよう制御する。この制御により、上述したように光ピックアップ１０からは各座標の青色濃度に応じた時間だけライトレベルのレーザ光が光ディスクＤの画像面に照射され、青色発色層２０５における照射領域が発色する。
【００８８】
以上のように光ディスクＤが回転させられる毎に光ピックアップ１０のレーザ光照射位置を外周側に所定量移動させながら、供給されるカラー画像データ（青色）に応じたレーザ光を照射するといった動作を、緑色を示すヘッダー情報ＨＤが供給されるまで続ける。つまり、青色を発色するためのカラー画像データに対応した発色のための処理が終了するまでレーザ光の照射を続ける。そして、この処理が終了すると、制御部１６は、紫外線蛍光灯４５を所定の時間点灯させる（ステップＳａ９）。上述したように紫外線蛍光灯４５は、青色発色層２０５に含まれる発色材を定着させる波長の紫外線を照射するものであり、当該紫外線蛍光灯４５を点灯させて光ディスクＤの画像面に紫外線を照射させることで、青色発色層２０５（発色していない部分を含む）の発色状態を定着させる。
【００８９】
制御部１６は、青色発色層２０５が十分定着する時間紫外線蛍光灯４５を点灯させてから当該点灯を停止させると、緑色発色層２０６を画像データにしたがって発色させるために緑色に対応した目標レーザパワー値をレーザパワー制御回路２０に指示設定する（ステップＳａ１０）。より具体的には、制御部１６は目標レーザパワー値をＰｇ（図３参照）に設定する。光ピックアップ１０から照射されるレーザ光の強度をこのような値に設定した場合、赤色発色層２０７は発色せず、また青色発色層２０５は上記の紫外線照射によって定着しているので当該レーザ光照射によって発色することがない。したがって、緑色発色層２０６のみを発色させることができる。
【００９０】
以上のように緑色発色層２０６のみを発色させるためのパワー設定を行うと、制御部１６はそのヘッダー情報ＨＤに続く各座標毎の緑色の濃度情報からなるカラー画像データに基づいて、緑色発色層２０６を発色させるために装置各部を制御する（ステップＳａ１１）。ここでの発色のための制御は上述した青色発色層２０５を発色させるための制御（ステップＳａ８）と同様であり、この結果、図１７（ｂ）に示すように、上記のように定着した青色発色層２０５に加え、緑色発色層２０６が発色させられる。
【００９１】
そして、赤色を示すヘッダー情報ＨＤが供給され、各座標毎の緑色の濃度情報からなるカラー画像データに基づく発色制御が終了すると、制御部１６は紫外線蛍光灯４６を所定時間点灯させる（ステップＳａ１２）。上述したように紫外線蛍光灯４６は、緑色発色層２０６に含まれる発色材を定着させる波長の紫外線を照射するものであり、当該紫外線蛍光灯４６を点灯させて光ディスクＤの画像面に紫外線を照射させることで、緑色発色層２０６（発色していない部分を含む）の発色状態を定着させる。
【００９２】
制御部１６は、緑色発色層２０６が十分定着する時間紫外線蛍光灯４６を点灯させてから当該点灯を停止させると、赤色発色層２０７を画像データにしたがって発色させるために赤色に対応した目標レーザパワー値をレーザパワー制御回路２０に指示設定する（ステップＳａ１０）。より具体的には、制御部１６は目標レーザパワー値をＰｒ（図３参照）に設定する。光ピックアップ１０から照射されるレーザ光の強度をこのような値に設定した場合、赤色発色層２０７を発色させることができる。ここで、青色発色層２０５および緑色発色層２０６は上記の紫外線照射によって定着しているので当該レーザ光照射によって発色することがなく、赤色発色層２０７のみを発色させることができる。
【００９３】
以上のように赤色発色層２０７のみを発色させるためのパワー設定を行うと、制御部１６はそのヘッダー情報ＨＤに続く各座標毎の赤色の濃度情報からなるカラー画像データに基づいて、赤色発色層２０７を発色させるために装置各部を制御する（ステップＳａ１４）。ここでの発色のための制御は上述した青色発色層２０５を発色させるための制御（ステップＳａ８）と同様であり、この結果、図１７（ｃ）に示すように、上記のように定着した青色発色層２０５および緑色発色層２０６に加え、赤色発色層２０７が発色させられる。すなわち、青色発色層２０５、緑色発色層２０６および赤色発色層２０７といった３原色を各座標毎に各々適当な濃度で発色させることができ、この結果当該領域を所望の色として視認者に認識させることができる。
【００９４】
以上説明したのが、光ディスク記録再生装置１００の主要な動作であり、光ディスク記録再生装置１００を用いた画像形成方法によれば、新たに印刷手段等を搭載することなく、記録面に対して情報記録を行うために用いられる光ピックアップ１０等の装置各部を可能な限り利用し、画像面が形成された光ディスクＤの当該画像面に対してレーザ光を照射してカラー画像データに対応したカラー可視画像を形成することができる。
【００９５】
また、光ディスク記録再生装置１００では、スピンドルモータ１１の回転に応じて生成されるＦＧパルスを用いて生成したクロック信号、すなわち光ディスクＤの回転量に応じて生成されるクロック信号に基づいてレーザ光照射タイミングを制御しているので、光ディスクＤ側から位置情報等を取得することなく、光ディスク記録再生装置１００においてレーザ光照射位置を把握することができる。したがって、光ディスク記録再生装置１００によれば、画像面にプリグルーブ（案内溝）を形成するといった特別な加工等を施した光ディスクＤを用いなくてはならないといった制限はなく、グルーブや位置情報等が予め形成されていない画像面に対しても、画像データに対応するカラーの可視画像を形成することができる。
【００９６】
Ａ−４．第１実施形態の変形例
なお、上述した第１実施形態においては、青色発色層２０５、緑色発色層２０６および赤色発色層２０７といった３色の発色層２１０が設けられた光ディスクＤを用いてカラー画像を形成するようにしていたが、上記発色層２１０に代えてイエロー、マゼンタ、シアンといった３色の発色層が設けられた光ディスクを用いるようにしてもよいし、２色の発色層を有する発色層２１０を設けた光ディスクを用いるようにしてもよい。また、イエロー、マゼンタ、シアンといった３色に発色するカプセルを１つの発色層に含ませるようにしてもよい。
【００９７】
また、上述した第１実施形態では、１つの座標に属する領域のうち、青色発色層２０５、緑色発色層２０６および赤色発色層２０７といった発色層の発色領域の面積の大小を制御することにより各色の発色濃度を制御するようにしていたが、青色発色層２０５、緑色発色層２０６および赤色発色層２０７に含まれる発色材として、印加エネルギーに応じて発色濃度が異なるといった特性を有するものを用いれば、濃度に応じた強度のレーザ光を照射することで各座標における各色の発色濃度を制御することもできる。
【００９８】
また、上述した第１実施形態では、青色発色層２０５、緑色発色層２０６および赤色発色層２０７の各々が、発色するために必要なエネルギーが異なる発色材を含んでおり、各々の発色層に対して照射するレーザ光のパワーを変更することで各色を個別に発色させるようにしていたが、各々の発色層に含まれる発色材として、パワー以外の特性のレーザ光を照射した際に発色するようなものを用いるようにしてもよい。例えば、各発色層に含ませる発色材として、発色するための照射すべき光の波長が異なる発色材を含ませるようにし、各色の発色層を発色させる際に、光ディスク記録再生装置１００から対応する波長のレーザ光を照射するといった構成を採用するようにしてもよい。この場合、光ディスク記録再生装置１００には、各々の発色層に含まれる発色材を発色させるために要求される波長のレーザ光を照射するピックアップを搭載させればよい。このような構成を採用することで、ある発色層に対応する波長のレーザ光を照射しても他の発色層にはほとんど影響を与えないので、上述したような定着のための紫外線照射等を行うといった過程を経ることなく、カラー画像を形成することができる。
【００９９】
Ｂ．第２実施形態
次に、本発明の第２実施形態に係る画像形成方法について説明する。本発明の第２実施形態に係る画像形成方法は、上記第１実施形態と同様、光ディスク記録再生装置を用い、複数色からなる画像、つまりカラー画像を光ディスクのレーベル面に形成することができる画像形成方法であり、まず当該方法に用いられる光ディスクの構成について説明する。
【０１００】
Ｂ−１．光ディスクの構成
第２実施形態に係る画像形成方法に用いられる光ディスクＤ２は、第１実施形態に係る光ディスクＤと同様、レッドブックに規定されているＣＤ、オレンジブックに規定されているＣＤ−Ｒ、ＣＤ−ＲＷ等の光ディスクと外観形状、寸法がほぼ同じ円盤状のディスクであり、その構成を図１８および図１９に示す。
【０１０１】
本実施形態に係る光ディスクＤ２は、上記第１実施形態における光ディスクＤと同様、一方の面が記録面（図１８の上側の面）、他方の面が画像面（図１８の下側の面）となっているディスクであり、図１８に示すように、上記光ディスクＤと同様の保護層２０１、記録層２０２および反射層２０３を有し、さらに反射層２０３の図の下方側に発色層３１０と保護層２０８とが積層された構成となっている。なお、図は光ディスクＤ２の構造を模式的に示しており、各層の寸法比等はこの図に示される通りではない。
【０１０２】
この光ディスクＤ２における反射層２０３の発色層３１０側の面には、画像面側（図１８の下側）から見た際に光ディスクＤ２の中心Ｏを中心とする同心円上にプリグルーブ３１１が一定の間隔を隔てて多数周形成されている。発色層３１０における当該プリグルーブ３１１に対応する部分には当該プリグルーブ３１１とほぼ同じ幅を有する緑色発色部分３２１となっている。また、発色層３１０における緑色発色部分３２１を挟む部分は、緑色発色部分３２１とほぼ同じ幅を有する青色発色部分３２２および赤色発色部分３２３となっている。すなわち、反射層２０３に形成される隣り合う２本のプリグルーブ３１１の半径は上記発色部分の幅の２倍の長さ分だけ異なるものとなっている。
【０１０３】
図１８および図１９に示すように、発色層３１０は、多数周形成されたプリグルーブ３１１に対応した部分に位置するリング状の緑色発色部分３２１とその内周側および外周側に位置するリング状の青色発色部分３２２および赤色発色部分３２３といった３色のリング状の発色部分の組からなる発色部分（複数発色部分）３２０を有している。すなわち、発色層３１０は、光ディスクＤ２の中心Ｏを中心とした同心円上に上記プリグルーブ３１１と同じ数だけ配置される径の異なるリング状の発色部分３２０から構成されている。
【０１０４】
緑色発色部分３２１、青色発色部分３２２および赤色発色部分３２３の各々は、レーザ光が照射されることに起因して生じる熱によって各々の色を発色する感熱材を有している。なお、上記第１実施形態では、各色の発色材として、発色させるための印加エネルギーが異なる特性を有するものを使用していたが、本実施形態では同様のエネルギーを加えた時に各色が発色するような特性のものを使用する。
【０１０５】
上記のようなリング状の発色部分３２０を光ディスクＤ２の画像面に形成する方法としては、リング状の緑色発色部分３２１、青色発色部分３２２および赤色発色部分３２３を反射層２０３の面上に印刷することにより形成することができ、この場合の各色の発色部分の幅が小さいほどより精度の高い印刷技術が要求され、コストの増加を招くことになる。したがって、本実施形態では、図１８および図１９に示すように、２本の隣り合うプリグルーブ３１１の各々に対応した位置に形成される２本の緑色発色部分３２１の間に、同色（青または赤）の発色部分配置するようにしている。このような配置とすることで、隣り合うプリグルーブ３１１間を同一色で印刷することができ、同一色の印刷幅が２倍となるので、印刷処理を比較的簡易なものとすることができる。
以上が第２実施形態に係る画像形成方法で用いられる光ディスクＤ２の構成である。
【０１０６】
Ｂ−２．カラー画像形成方法
次に、上記構成の光ディスクＤ２の画像面に対してカラー画像を形成する方法について説明する。本実施形態に係るカラー画像形成方法でも、上記実施形態と同様、光ディスクに対してレーザ光を照射して情報記録や再生を行うことができる光ディスク記録再生装置を用いて行う。このカラー画像形成方法に用いられる光ディスク記録再生装置の構成を図２０に示す。
【０１０７】
同図に示すように、光ディスク記録再生装置３００は、紫外線蛍光灯４５および紫外線蛍光灯４６（図５参照）を有していない点以外は、上記実施形態における光ディスク記録再生装置１００と同様の構成を備えている。そして、光ディスク記録再生装置３００は、カラー画像形成時における制御内容もＦＧパルスを逓倍したクロック信号に同期して画像形成を行う等、光ディスク記録再生装置１００と同様であるが、利用されるカラー画像形成データの転送順序や、トラッキング制御等の制御内容が光ディスク記録再生装置１００と相違している。以下、利用されるカラー画像データの転送順序およびトラッキング制御等の相違点を中心に、光ディスク記録再生装置３００を用いて光ディスクＤ２の画像面にカラー画像を形成する方法について説明する。
【０１０８】
まず、カラー画像を形成するためにホストＰＣ１１０から光ディスク記録再生装置３００に供給されるカラー画像データの内容について説明する。本実施形態において用いられるカラー画像データは、第１実施形態で用いられるカラー画像データと同様（図７参照）、光ディスクＤ２における最内周のプリグルーブ３１１上に位置する座標点Ｐ１１、Ｐ１２……Ｐ１ｎ、その１つ外周側のプリグルーブ３１１上に位置する座標Ｐ２１、Ｐ２２……Ｐ２ｎ、さらにその１つ外周側のプリグルーブ３１１上に位置する座標といったように最外周（ｍ周）のプリグルーブ３１１上に位置する座標Ｐｍｎまでの各々座標点において発色させるべき色（原色や原色以外の中間色）に対応した緑、青、赤の三色の濃度に関する情報が含まれている。
【０１０９】
上述した第１実施形態では、ホストＰＣ１１０から供給された画像データを、青色についての濃度情報を全ての座標点について送ってから、次に緑色についての濃度情報を全ての座標点について送り、その後赤色についての濃度情報を全ての座標点について送るといった順序でデータが転送されるようになっていた（図８参照）。本実施形態では、図２１に示すように、ホストＰＣ１１０は、光ディスクＤ２の最内周側のプリグルーブ３１１上に位置する座標点（Ｐ１１〜Ｐ１ｎ）について各色毎に濃度情報を送出し、その後その一つ外周のプリグルーブ３１１上に位置する座標点（Ｐ２１〜Ｐ２ｎ）について各色毎に濃度情報を送出する。このように本実施形態では、最内周のプリグルーブ３１１から順番に、１本のプリグルーブ３１１上に位置する座標点について各色の濃度情報を送出した後、その１つ外周側のプリグルーブ３１１上に位置する座標点について各色の濃度情報を送出するといった順序でカラー画像データを転送するようにしている。
【０１１０】
また、本実施形態では、各プリグルーブ３１１上に位置する座標点について、どの色の濃度情報から順番に出力するかは以下のようにして決められている。すなわち、上述したようにこの光ディスクＤ２では、１本のプリグルーブ３１１に沿って緑色発色部分３２１を設け、その両側に青色発色部分３２２および赤色発色部分３２３を設けるようにしている。本実施形態では、このような発色部分３２０に属する３つの緑色発色部分３２１、青色発色部分３２２および赤色発色部分３２３のうち、まずプリグルーブ３１１上に位置する緑色の濃度情報を転送しし、その後の２色の順序については径方向の配列順序によって決定している。具体的には、内周側に位置する発色部分に対応する色の濃度情報を先に転送するようにしている。例えば、図２１下段に示すような配列順序で発色部分３２０が形成されている場合には、図２１上段に示すように、最内周のプリグルーブ３１１上の座標点（Ｐ１１〜Ｐ１ｎ）については、緑色、青色、赤色といった順序で濃度情報が転送される。また、その１つ外周側のプリグルーブ３１１上の座標点（Ｐ２１〜Ｐ２ｎ）については、緑色、赤色、青色といった順序で濃度情報が転送される。なお、この転送順序はＦＩＦＯメモリ３４に転送される際の順序であり、ホストＰＣ１１０から供給される順序が上記のような順序であり、光ディスク記録再生装置３００の制御部１６が供給された順序のままＦＩＦＯメモリ３４に転送するといった構成を採用するようにしてもよいし、ホストＰＣ１１０から上記と異なる順序で転送されたデータを、制御部１６が上記の順序に並び替えて転送するようにしてもよい。
【０１１１】
第２実施形態に係る画像形成方法に用いられる光ディスク記録再生装置３００では、ホストＰＣ１１０から供給された上記構成のカラー画像データを上記のような順序でＦＩＦＯメモリ３４に転送した後は、上述した第１実施形態と同様、周波数発生器２１によって生成されるＦＧパルスを逓倍したクロック信号に同期して駆動パルス生成部３５に出力し、これにより駆動パルス生成部３５において各座標点の各色の濃度情報に応じたパルス幅のパルス信号が生成され、レーザドライバ１９に供給されて当該パルス幅に応じた時間だけライトレベルのレーザ光が光ディスクＤ２に照射される。
【０１１２】
次に、上記の順序で供給される濃度情報にしたがって光ピックアップ１０から照射するレーザ光を制御してカラー画像形成を行う際の光ディスク記録再生装置３００の動作について説明する。
【０１１３】
まず、光ディスク記録再生装置３００の制御部１６は、光ディスクＤ２が挿入されると、上記第１実施形態と同様の処理を行い（図１３のステップＳａ１〜ステップＳａ６）、初期化処理を終えた制御部１６は、実際に光ディスクＤ２の画像面に可視画像を形成するための処理を行う。図２２に示すように、制御部１６は、ホストＰＣ１１０からバッファメモリ３６を介して供給されたカラー画像データを上記の順序でＦＩＦＯメモリ３４に転送するとともに、サーボ回路１３に対して光ディスクＤ２における最内周のプリグルーブ３１１に沿ってレーザ光照射位置が移動するようトラッキング制御の目標値を設定する。すなわち、制御部１６はプリグルーブに沿ってレーザ光照射位置を移動させるといった通常のトラッキング制御が行われるようサーボ回路１３を制御する（ステップＳｂ１）。なお、制御部１６は、発色部分３２０に照射するレーザ光のビームスポット径が緑色発色部分３２１、青色発色部分３２２および赤色発色部分３２３といった各色の発色部分の幅とほぼ同じ（例えば２０μｍ等）になるようなフォーカス制御を行うようサーボ回路１３を制御する。
【０１１４】
そして、制御部１６は、上記のようにプリグルーブ３１１に沿ってレーザ光照射位置を移動させるといった通常のトラッキング制御を行わせるとともに、上記の順序で供給される画像データ、つまり最内周のプリグルーブ３１１に沿った座標点（Ｐ１１〜Ｐ１ｎ）の緑色の濃度情報にしたがったレーザ光照射を行う。すなわち、図２３（ａ）に示すように、緑色の濃度情報にしたがって、プリグルーブ３１１上に設けられた緑色発色部分３２１にレーザ光（図中一点鎖線で示す）を照射させて当該緑色発色部分３２１を発色させる。ここでのレーザ光照射制御は、上述した第１実施形態と同様であり、光ディスクＤ２が１回転させられる間に周波数発生器２１から供給されるＦＧパルス信号（図１２参照）の基準パルスの立ち上がりをトリガーとし、その時点からＰＬＬ回路３３から出力されるクロック信号に同期してＦＩＦＯメモリ３４から画像データを順次出力するよう各部を制御する。このような制御を行うことで、ＦＩＦＯメモリ３４からは、ＰＬＬ回路３３からクロックパルスが供給される毎に、１つの座標の濃度を示す情報を駆動パルス生成部３５に出力され（図１６参照）、当該濃度に応じたレーザ光が光ディスクＤ２におけるこの座標に対応する領域に照射される。
【０１１５】
この後、周波数発生器２１から基準パルスが供給されると、つまり緑色発色部分３２１に対して発色のためのレーザ光照射を開始してから光ディスクＤ２が１回転させられると、制御部１６は画像データに基づくレーザ光照射を停止するとともに、現在トラッキングの目標となっているプリグルーブ３１１の内周側にトラッキング目標位置を移動させるようサーボ回路１３を制御する。より具体的には、制御部１６は、緑色発色部分３２１の内周側に位置する発色部分（最内周の緑色発色部分３２１の場合は青色発色部分３２２（図２１参照））にレーザ光が照射されるようトラッキングの目標位置を変更する。例えば、この光ディスク記録再生装置３００が公知の３ビーム法によるトラッキングを行う装置である場合には、２つの副ビームの反射光の差分により求まるトラッキング誤差信号の目標値を、上記のような位置にトラッキングがなされるような値に変更する。
【０１１６】
そして、プリグルーブ３１１よりも内周側の位置を目標位置とするトラッキング制御を行わせるとともに、制御部１６は、上記の順序で供給される画像データ、つまり最内周のプリグルーブ３１１に沿った座標点（Ｐ１１〜Ｐ１ｎ）の青色の濃度情報にしたがったレーザ光照射を行う（ステップＳｂ２）。すなわち、図２３（ｂ）に示すように、青色の濃度情報にしたがって、プリグルーブ３１１の内周側に設けられた青色発色部分３２２にレーザ光（図中一点鎖線で示す）を照射させて当該青色発色部分３２２を発色させる。
【０１１７】
この後、周波数発生器２１から基準パルスが供給されると、つまり青色発色部分３２２に対して発色のためのレーザ光照射を開始してから光ディスクＤ２が１回転させられると、制御部１６は、プリグルーブ３１１の外周側にトラッキング目標位置を移動させるようサーボ回路１３を制御する。より具体的には、制御部１６は、緑色発色部分３２１の外周側に位置する発色部分（最内周の緑色発色部分３２１の場合は赤色発色部分３２３（図２１参照））にレーザ光が照射されるようトラッキングの目標位置を変更する。
【０１１８】
そして、プリグルーブ３１１よりも外周側の位置を目標位置とするトラッキング制御を行わせるとともに、制御部１６は、上記の順序で供給される画像データ、つまり最内周のプリグルーブ３１１に沿った座標点（Ｐ１１〜Ｐ１ｎ）の赤色の濃度情報にしたがったレーザ光照射を行う（ステップＳｂ３）。すなわち、図２３（ｃ）に示すように、赤色の濃度情報にしたがって、プリグルーブ３１１の外周側に設けられた赤色発色部分３２３にレーザ光（図中一点鎖線で示す）を照射させて当該赤色発色部分３２３を発色させる。
【０１１９】
以上のようにして緑色発色部分３２１、青色発色部分３２２および赤色発色部分３２３といった３つの発色部分からなる発色部分３２０に対するレーザ光の照射を終了すると、制御部１６は、全ての画像データについての画像形成処理を終了したか否かを判別する（ステップＳｂ４）。
【０１２０】
この判別の結果、全ての画像データについての処理が終了していない場合には、制御部１６はモータコントローラ３２に対して上述した発色部分３２０の幅の分だけ光ピックアップ１０を径方向の外周側に移動させるよう指示する（ステップＳｂ５）。この指示に応じてモータコントローラ３２がモータドライバ３１を介してステッピングモータ３０を駆動し、これにより図２２（ｄ）に示すように、光ピックアップ１０が発色部分３２０の幅の分だけ外周側に移動させられる。この後、１つ外周側のプリグルーブ３１１に沿って設けられた発色部分３２０に対するレーザ光照射制御が上述したステップＳｂ１〜ステップＳｂ３の手順にしたがって繰り返し行われ、全ての画像データについての処理が終了すると当該処理を終了する。
【０１２１】
以上説明したのが、光ディスク記録再生装置３００の特徴的な動作であり、光ディスク記録再生装置３００を用いた画像形成方法によれば、新たに印刷手段等を搭載することなく、記録面に対して情報記録を行うために用いられる光ピックアップ１０等の装置各部を可能な限り利用し、画像面が形成された光ディスクＤ２の当該画像面に対してレーザ光を照射してカラー画像データに対応したカラー可視画像を形成することができる。
【０１２２】
Ｂ−３．第２実施形態の変形例
なお、上述した第２実施形態においては、緑色発色部分３２１、青色発色部分３２２および赤色発色部分３２３から構成される発色部分３２０が設けられた光ディスクＤ２を用いてカラー画像を形成するようにしていたが、上記発色部分３２０に代えてイエロー、マゼンタ、シアンといった３色の発色部分が設けられた光ディスクを用いるようにしてもよいし、２色の発色部分を有する発色部分３２０を設けた光ディスクを用いるようにしてもよい。
【０１２３】
また、上述した第２実施形態では、１つの座標に属する領域のうち、緑色発色部分３２１、青色発色部分３２２および赤色発色部分３２３といった発色部分の発色面積の大小を制御することにより各色の発色濃度を制御するようにしていたが、緑色発色部分３２１、青色発色部分３２２および赤色発色部分３２３に含まれる発色材として、印加エネルギーに応じて発色濃度が異なるといった特性を有するものを用いれば、濃度に応じた強度のレーザ光を照射することで各座標における各色の発色濃度を制御することもできる。
【０１２４】
また、上述した第２実施形態では、光ディスクＤ２の中心Ｏを中心とした同心円上にプリグルーブ３１１を多数周形成し、各々のプリグルーブ３１１に対応する部分にリング状の発色部分３２０を設けるようにしていたが、図２４に示すように、螺旋状のプリグルーブ３１１’を形成し、当該プリグルーブ３１１’に対応する部分に螺旋状の発色部分３２０’を形成した光ディスクＤ２”を用いるようにしてもよい。このように螺旋状のプリグルーブ３１１’に沿って発色部分３２０を設ける場合には、緑色発色部分３２１、青色発色部分３２２および赤色発色部分３２３の径方向の配列順序はどの部分も同一であり、図示の例では内周側から青色発色部分３２２、緑色発色部分３２１、赤色発色部分３２３といった順序になる。そして、上述した第２実施形態と同様、光ディスク記録再生装置３００が各々の色の発色部分に対し、座標毎に各々の色の濃度情報にしたがったレーザ光照射を行うことで、上記と同様に光ディスクＤ２”の画像面にカラー画像を形成することができる。
【０１２５】
Ｃ．第３実施形態
次に、本発明の第３実施形態に係る画像形成方法について説明する。本発明の第３実施形態に係る画像形成方法は、上記第１実施形態と同様、光ディスク記録再生装置を用い、複数色からなる画像、つまりカラー画像を光ディスクのレーベル面に形成することができる画像形成方法であり、まず当該方法に用いられる光ディスクの構成について説明する。
【０１２６】
Ｃ−１．光ディスクの構成
第３実施形態に係る画像形成方法に用いられる光ディスクＤ３は、第１実施形態に係る光ディスクＤと同様、レッドブックに規定されているＣＤ、オレンジブックに規定されているＣＤ−Ｒ、ＣＤ−ＲＷ等の光ディスクと外観形状、寸法がほぼ同じ円盤状のディスクであり、その構成を図２５および図２６に示す。
【０１２７】
本実施形態に係る光ディスクＤ３は、上記第１実施形態における光ディスクＤと同様、一方の面が記録面（図２５の上側の面）、他方の面が画像面（図２５の下側の面）となっているディスクであり、図２５に示すように、上記光ディスクＤと同様の保護層２０１、記録層２０２および反射層２０３を有し、さらに反射層２０３の図の下方側に発色層４１０と保護層２０８とが積層された構成となっている。なお、図は光ディスクＤ３の構造を模式的に示しており、各層の寸法比等はこの図に示される通りではない。
【０１２８】
図２６に示すように、発色層４１０は、この光ディスクＤ３を画像面側（図２５の下側）から見た際に光ディスクＤ３の中心Ｏを中心とする多数の同心円上に位置するリング状の発色部分４１１から構成されている。リング状の各発色部分４１１は、青色発色領域４２０と緑色発色領域４２１といった２色の発色領域が周方向に交互に並んで配置される青緑発色部分４１１ａと、赤色発色領域４２２と緑色発色領域４２１とが周方向に並んで配置される赤緑発色部分４１１ｂといった２種類の発色部分とがある。これらの２種類のリング状の青緑発色部分４１１ａおよび赤緑発色部分４１１ｂは交互に配置されている。つまり、最内周の青緑発色部分４１１ａが配置されている場合はその１つ外周側に赤緑発色部分４１１ｂ、さらにその一つ外周側に青緑発色部分４１１ａが配置されるといった具合である。
【０１２９】
また、光ディスクＤ３のほぼ全面に設けられる発色層４１０の１箇所には、ディスク最内周から最外周まで径方向の延びるプリピットＰＰが形成されている。したがって、光ディスク記録装置等のレーザ光照射位置が当該プリピットＰＰを通過した際に得られる反射光は、それ以外の部分から得られる反射光とは異なることとなり、反射光をモニタリングすることでレーザ光照射位置が当該プリピットＰＰを通過したことを検出することができる。
【０１３０】
上述したように青緑発色部分４１１ａは、周方向に青色発色領域４２０および緑色発色領域４２１が交互に配置された構成となっているが、これらの部分は上述したプリピットＰＰから図中時計回りに青色発色領域４２０、緑色発色領域４２１、青色発色領域４２０といった順序で配列されている。また、赤緑発色部分４１１ｂは、周方向に緑色発色領域４２１および赤色発色領域４２２が交互に配置された構成となっているが、これらの部分はプリピットＰＰから図中時計回りに緑色発色領域４２１、赤色発色領域４２２といった順序で配列されている。このように各発色部分を配列した光ディスクＤ３を用いることで、本実施形態では、図２７に示すように、隣り合う青緑発色部分４１１ａおよび赤緑発色部分４１１ｂを跨る太線で囲んだ４つの発色領域（図中、緑色発色領域４２１を「Ｇ」、赤色発色部分４２３を「Ｒ」、青色発色領域４２０を「Ｂ」と表す）からなる領域を一つのカラー画像表現領域ＣＡとし、当該カラー画像表現領域ＣＡに含まれる４つの各発色部分の発色濃度を適宜制御することで種々のカラー表現を実現する。
【０１３１】
なお、リング状の発色部分４１１の幅（光ディスクＤ３の径方向の長さ）は、後述する光ディスク記録再生装置によって当該光ディスクＤ３に対して照射することが可能なレーザ光のビームスポット径の大きさの範囲内であればよく、例えば２０μｍ等である。
【０１３２】
青色発色領域４２０、緑色発色領域４２１および赤色発色領域４２２の各々は、レーザ光が照射されることに起因して生じる熱によって各々の色を発色する感熱材を有している。なお、上記第１実施形態では、各色の発色材として、発色させるための印加エネルギーが異なる特性を有するものを使用していたが、本実施形態では同様のエネルギーを加えた時に各色が発色するような特性のものを使用する。
【０１３３】
上記のようなリング状の青緑発色部分４１１ａおよび赤緑発色部分４１１ｂを光ディスクＤ３の画像面に形成する方法としては、各発色部分を印刷することにより形成することができる。
以上が第３実施形態に係る画像形成方法で用いられる光ディスクＤ３の構成である。
【０１３４】
Ｃ−２．カラー画像形成方法
次に、上記構成の光ディスクＤ３の画像面に対してカラー画像を形成する方法について説明する。本実施形態に係るカラー画像形成方法でも、上記第１実施形態と同様、光ディスクに対してレーザ光を照射して情報記録や再生を行うことができる光ディスク記録再生装置を用いて行う。本実施形態に係るこのカラー画像形成方法に用いられる光ディスク記録再生装置のハードウェア構成は、上記第２実施形態における光ディスク記録再生装置３００と同様であるが、利用されるカラー画像形成データの内容や当該カラー画像データに基づくレーザ光照射制御内容が上記第２実施形態と相違している。したがって、以下においては、利用されるカラー画像データの内容等の相違点を中心として、光ディスク記録再生装置３００を用いて光ディスクＤ３の画像面にカラー画像を形成する方法について説明する。
【０１３５】
まず、カラー画像を形成するためにホストＰＣ１１０から光ディスク記録再生装置３００に供給されるカラー画像データの内容について図２８を用いて説明する。本実施形態において用いられるカラー画像データは、光ディスクＤ３における青色発色領域４２０、緑色発色領域４２１および赤色発色領域４２２の位置（図２６参照）に対応した座標点毎の発色濃度を示す情報が含まれている。より具体的には、最内周に位置する発色部分４１１（青緑発色部分４１１ａもしくは赤緑発色部分４１１ｂのいずれか）に含まれる各発色領域に対応する座標点Ｐ５１１、Ｐ５１２……Ｐ５１ｎ、その１つ外周側の発色部分４１１に含まれる座標Ｐ５２１、Ｐ５２２……Ｐ２ｎ、さらにその１つ外周側の発色部分４１１に含まれる各発色領域に対応する座標といったように最外周（ｍ周）の発色部分４１１に含まれる座標Ｐ５ｍｎまでの各々座標点において発色させるべき色の濃度に関する情報が含まれている。すなわち、このカラー画像データを用いた画像形成方法では、各座標点は各々、青、緑、赤のいずれかのみを発色させるための領域と対応している。したがって、このカラー画像データでは、上述した４つの発色領域から構成されるカラー画像表現領域ＣＡ、つまり４つの座標点を含む領域であるカラー画像表現領域ＣＡ（図２７参照）が所望の色として視認者に認識されるよう、１つのカラー画像表現領域ＣＡに含まれる４つの座標点（「Ｒ」、「Ｇ」、「Ｇ」、「Ｂ」）の濃度が相対的に決定されている。
【０１３６】
本実施形態で用いられるカラー画像データには、リング状の各発色部分４１１に含まれる各色の発色部分に対応する座標点の濃度情報が含まれているが、その転送順序は上記プリピットＰＰ（図２６参照）の位置を始点として図２６中時計回り方向である。したがって、図２８に模式的に示す例では、座標点Ｐ５１１、Ｐ５１２，Ｐ５１３……Ｐ５１ｎといった順序で各座標点の濃度情報が転送される。なお、この転送順序はＦＩＦＯメモリ３４に転送される際の順序であり、ホストＰＣ１１０から供給される順序が上記のような順序であり、光ディスク記録再生装置３００の制御部１６が供給された順序のままＦＩＦＯメモリ３４に転送するといった構成を採用するようにしてもよいし、ホストＰＣ１１０から上記と異なる順序で転送されたデータを、制御部１６が上記の順序に並び替えて転送するようにしてもよい。
【０１３７】
第３実施形態に係る画像形成方法に用いられる光ディスク記録再生装置３００では、ホストＰＣ１１０から供給された上記構成のカラー画像データを上記のような順序でＦＩＦＯメモリ３４に転送した後は、上述した第２実施形態と同様、ＦＩＦＯメモリ３４から周波数発生器２１によって生成されるＦＧパルスを逓倍したクロック信号に同期して駆動パルス生成部３５に出力される。これにより駆動パルス生成部３５において各座標点の濃度情報に応じたパルス幅のパルス信号が生成され、レーザドライバ１９に供給されて当該パルス幅に応じた時間だけライトレベルのレーザ光が光ディスクＤ３における座標点に対応する領域に照射される。
【０１３８】
以上のように光ディスク記録再生装置３００では、上記の順序で供給される濃度情報にしたがった光ピックアップ１０から照射するレーザ光を制御する。より具体的には、光ディスク記録再生装置３００の制御部１６は、光ディスクＤ３が挿入されると、上記第１実施形態と同様の処理を行い（図１３のステップＳａ１〜ステップＳａ６）、光ピックアップ１０のレーザ光の照射位置を最内周側の発色部分４１１に対応する位置に移動させるといった初期化処理を終えた制御部１６は、実際に光ディスクＤ３の画像面に可視画像を形成するための処理を行う。
【０１３９】
図２９に示すように、制御部１６は、ホストＰＣ１１０からバッファメモリ３６を介して供給されたカラー画像データを上記の順序でＦＩＦＯメモリ３４に転送するとともに、ＲＦアンプ１２から供給されるディスクＤ３からの反射光に対応するＲＦ信号に基づいて、レーザ光照射位置がプリピットＰＰを通過したか否かをモニタリングし（ステップＳｃ１）、プリピットＰＰを通過したことを検出すると、その時点ＰＬＬ回路３３から出力されるクロック信号に同期してＦＩＦＯメモリ３４から画像データを順次出力するよう各部を制御する（ステップＳｃ２）。このような制御を行うことで、ＦＩＦＯメモリ３４からは、ＰＬＬ回路３３からクロックパルスが供給される毎に、１つの座標の濃度を示す情報を駆動パルス生成部３５に出力され（図１６参照）、当該濃度に応じたレーザ光が光ディスクＤ３における当該座標に対応する領域に照射される。
【０１４０】
上記のようにレーザ光照射を開始させた後、制御部１６は光ピックアップ１０のレーザ光照射位置がプリピットＰＰを通過したか否かをモニタリングする（ステップＳｃ３）。そして、プリピットＰＰを通過したことを検出した場合、つまり発色部分４１１に対して発色のためのレーザ光照射を開始してから光ディスクＤ３が１回転させられると、制御部１６は、モータコントローラ３２に対して上述した発色部分４１１の幅の分だけ光ピックアップ１０を径方向の外周側に移動させるよう指示する（ステップＳｃ４）。この指示に応じてモータコントローラ３２がモータドライバ３１を介してステッピングモータ３０を駆動し、これにより光ピックアップ１０が発色部分４１１の幅の分だけ外周側に移動させられる。
【０１４１】
この後、全ての画像データに対するレーザ光照射が終了したか否かが判別され（ステップＳｃ５）、終了していない場合にはステップＳｃ２に戻り、制御部１６は、レーザ光照射位置がプリピットＰＰを通過したことをトリガーとして１つ外周側の発色部分４１１に対するレーザ光照射を行うためにＦＩＦＯメモリ３４から駆動パルス生成部３５にカラー画像データの出力を開始させる。以降、このような処理を繰り返すことで光ディスクＤ３の画像面に多数周形成された発色部分４１１に対するレーザ光照射が終了し、光ディスクＤ３の画像面にカラー画像データに対応したカラー画像が形成される。
【０１４２】
以上説明したのが、第３実施形態に係る画像形成方法であり、当該画像形成方法によれば、新たに印刷手段等を搭載することなく、記録面に対して情報記録を行うために用いられる光ピックアップ１０等の装置各部を可能な限り利用し、画像面が形成された光ディスクＤ３の当該画像面に対してレーザ光を照射してカラー画像データに対応したカラー可視画像を形成することができる。
【０１４３】
Ｃ−３．第３実施形態の変形例
なお、上述した第３実施形態においては、青色発色領域４２０、緑色発色領域４２１および赤色発色領域４２２といった３色の発色領域から構成される発色部分４１１を設けた光ディスクＤ３を用いてカラー画像を形成するようにしていたが、上記に代えてイエロー、マゼンタ、シアンといった３色の発色部分が設けられた光ディスクを用いるようにしてもよいし、２色の発色部分を有する発色部分４１１を設けた光ディスクを用いるようにしてもよい。
【０１４４】
また、上述した第３実施形態では、１つの座標に属する領域のうち、青色発色領域４２０、緑色発色領域４２１および赤色発色領域４２２といった発色領域の発色面積の大小を制御することにより各色の発色濃度を制御するようにしていたが、青色発色領域４２０、緑色発色領域４２１および赤色発色領域４２２に含まれる発色材として、印加エネルギーに応じて発色濃度が異なるといった特性を有するものを用いれば、濃度に応じた強度のレーザ光を照射することで各座標における各色の発色濃度を制御することもできる。
【０１４５】
また、上述した第３実施形態では、光ディスクＤ３の中心Ｏを中心とした同心円上に発色部分４１１を多数周形成するようにしていたが、光ディスクＤ３の画像面側に螺旋状の発色部分を形成した光ディスクを用いるようにしてもよい。そして、上述した第３実施形態と同様、光ディスク記録再生装置３００が、上記と同様な順序で転送されるカラー画像データに含まれる座標毎に各々の色の濃度情報にしたがったレーザ光照射を行うことで、上記と同様に光ディスクＤ３の画像面にカラー画像を形成することができる。
【０１４６】
また、図３０に示すように、プリピットＰＰに加え、当該プリピットＰＰの隣接する位置に、発色部分４１１のいずれかの発色部分、例えば赤緑発色部分４１１ｂの部分にのみ径方向に延びるプリピットＰＰａを形成するようにしてもよい。このようにすることで、青緑発色部分４１１ａと赤緑発色部分４１１ｂにおけるプリピットＰＰ近傍をレーザ光照射位置が通過した際に得られる反射光が異なることとなり、光ディスク記録再生装置３００において、レーザ光照射位置がいずれの発色部分にあるかを判別することができる。したがって、当該判別結果を利用することで、本来、青緑発色部分４１１ａを発色させるために照射したレーザ光が、赤緑発色部分４１１ｂに照射されるといった誤動作を防止することができる。
【０１４７】
このようにいずれかの発色部分にのみプリピットＰＰａを形成するといったようにプリピット形状（識別領域）から、リング状の発色部分４１１がどのような色の発色領域をどのような順序で周方向に配列したかを光ディスク装置において判別できるようにし、誤動作等を防止することができるようにしてもよい。また、各発色領域（青色発色領域４２０等）毎に、各々色に応じて形状の異なるプリピット部分（例えば、青色発色領域４２０は径方向に延びる１本のプリピット、緑色発色領域４２１は径方向に延びる２本のプリピットなど）を設け、レーザ光照射位置が各発色領域を通過する際に、その反射光からレーザ光照射位置がどの色の領域を通過しようとしているかを光ディスク装置において判別できるようにしてもよい。このようにすることで、リング状の発色部分に配置される各色の発色領域の配列順序を一定にしない場合であっても、レーザ光照射位置がどの色の領域を通過しようとしているかという判別結果を利用し、光ディスク装置が判別した色に関する濃度情報に基づくレーザ光照射をその領域に対して行うといった制御も可能となる。
【０１４８】
Ｄ．変形例
なお、上述した各実施形態における光ディスクＤ、光ディスクＤ２および光ディスクＤ３は、各々画像面の反対側に情報を記録（追記）することができる記録面が形成されていたが、これに代えて予め情報が記録された追記不能の記録面を形成するようにしてもよいし、また記録面を設けない構成のディスクとしてもよい。
【０１４９】
【発明の効果】
以上説明したように、本発明によれば、新たな装置等を個別に用意したりすることなく、光ディスク装置を用いて複数色の可視画像をディスクに形成することができる。
【図面の簡単な説明】
【図１】  本発明の第１実施形態に係る画像形成方法に用いられるディスクの外観を示す斜視図である。
【図２】  前記ディスクの構成を模式的に示す断面図である。
【図３】  前記ディスクの発色層の構成を模式的に示す断面図である。
【図４】  前記発色層に含まれる青色発色層、緑色発色層および赤色発色層の各々に含まれる発色材の発色濃度と発色に必要なエネルギーとの関係を示すグラフである。
【図５】  前記画像形成方法に用いられる光ディスク記録再生装置の構成を示すブロック図である。
【図６】  前記光ディスク記録再生装置の光ピックアップの構成を示す図である。
【図７】  前記画像形成方法において、前記光ディスク記録再生装置が前記ディスクにレーザ光を照射するために用いられるカラー画像データの内容を説明するための図である。
【図８】  前記光ディスク記録再生装置にける駆動パルス生成部へ前記カラー画像データを転送する際の転送順序を説明するための図である。
【図９】  前記光ディスク記録再生装置が前記ディスクに対してカラー画像を形成する際に、画像の色の濃淡を表現するためのレーザ光照射制御内容を説明するための図である。
【図１０】  前記光ディスク記録再生装置が前記ディスクに対してカラー画像を形成する際のレーザ光の制御方法を説明するための図である。
【図１１】  前記光ディスク記録再生装置の構成要素であるレーザパワー制御回路によるレーザパワー制御内容を説明するための図である。
【図１２】  前記光ディスク記録再生装置の構成要素である周波数発生器によってスピンドルモータの回転量に応じて生成されるＦＧパルスおよび当該ＦＧパルスに基づいて生成されるクロック信号を示す図である。
【図１３】  前記光ディスク記録再生装置の動作を説明するためのフローチャートである。
【図１４】  前記光ディスク記録再生装置の動作を説明するためのフローチャートである。
【図１５】  前記ディスクの画像面に形成されたディスクＩＤを示す図である。
【図１６】  前記ディスクの画像面にレーザ光を照射してカラー画像を形成するときの前記光ディスク記録再生装置の動作を説明するためのタイミングチャートである。
【図１７】  前記光ディスク記録再生装置によって前記ディスクの発色層が発色させられる様子を模式的に示す図である。
【図１８】  本発明の第２実施形態に係る画像形成方法に用いられるディスクの構成を模式的に示す断面図である。
【図１９】  第２実施形態で用いられる前記ディスクの画像面と、その一部を拡大して示す図である。
【図２０】  第２実施形態に係る画像形成方法に用いられる光ディスク記録再生装置の構成を示すブロック図である。
【図２１】  第２実施形態で用いられる前記光ディスク記録再生装置にける駆動パルス生成部へ前記カラー画像データを転送する際の転送順序を説明するための図である。
【図２２】  第２実施形態で用いられる前記光ディスク記録再生装置の動作を説明するためのフローチャートである。
【図２３】  第２実施形態で用いられる前記光ディスク記録再生装置によって前記ディスクの発色層が発色させられる様子を模式的に示す図である。
【図２４】  前記第２実施形態で用いられるディスクの変形例の画像面と、その一部を拡大して示す図である。
【図２５】  本発明の第３実施形態に係る画像形成方法に用いられるディスクの構成を模式的に示す断面図である。
【図２６】  第３実施形態で用いられる前記ディスクの画像面と、その一部を拡大して示す図である。
【図２７】  第３実施形態で用いられる前記ディスクの発色層の領域構成を示す図である。
【図２８】  第３実施形態に係る画像形成方法において、前記光ディスク記録再生装置が前記ディスクにレーザ光を照射するために用いられるカラー画像データの内容を説明するための図である。
【図２９】  第３実施形態に係る光ディスク記録再生装置の動作を説明するためのフローチャートである。
【図３０】  第３実施形態で用いられるディスクの変形例の画像面と、その一部を拡大して示す図である。
【符号の説明】
１０……光ピックアップ、１１……スピンドルモータ、１２……ＲＦアンプ、１３……サーボ回路、１６……制御部、１７……エンコーダ、１８……ストラテジ回路、１９……レーザドライバ、２０……レーザパワー制御回路、２１……周波数発生器、３０……ステッピングモータ、３１……モータドライバ、３２……モータコントローラ、３３……ＰＬＬ回路、３４……ＦＩＦＯメモリ、３５……駆動パルス生成部、３６……バッファメモリ、４５……紫外線蛍光灯、４６……紫外線蛍光灯、５３……レーザーダイオード、５３ａ……フロントモニターダイオード、５６……受光素子、６４……フォーカスアクチュエータ、６５……トラッキングアクチュエータ、１００……光ディスク記録再生装置、２０１……保護層、２０２……記録層、２０３……反射層、２０４……保護層、２０５……青色発色層、２０６……緑色発色層、２０７……赤色発色層、２０８……保護層、２１０……発色層、３１０……発色層、３１１……プリグルーブ、３２０……発色部分、３２１……緑色発色部分、３２２……青色発色部分、３２３……赤色発色部分、４１０……発色層、４１１……発色部分、４１１ａ……青緑発色部分、４１１ｂ……赤緑発色部分、４２０……青色発色領域、４２１……緑色発色領域、４２２……赤色発色領域、Ｄ，Ｄ２，Ｄ３……光ディスク、ＰＰ……プリピット、ＰＰａ……プリピット。
【図１】
0003873784.tif 000002
【図２】
0003873784.tif 000003
【図３】
0003873784.tif 000004
【図４】
0003873784.tif 000005
【図５】
0003873784.tif 000006
【図６】
0003873784.tif 000007
【図７】
0003873784.tif 000008
【図８】
0003873784.tif 000009
【図９】
0003873784.tif 000010
【図１０】
0003873784.tif 000011
【図１１】
0003873784.tif 000012
【図１２】
0003873784.tif 000013
【図１３】
0003873784.tif 000014
【図１４】
0003873784.tif 000015
【図１５】
0003873784.tif 000016
【図１６】
0003873784.tif 000017
【図１７】
0003873784.tif 000018
【図１８】
0003873784.tif 000019
【図１９】
0003873784.tif 000020
【図２０】
0003873784.tif 000021
【図２１】
0003873784.tif 000022
【図２２】
0003873784.tif 000023
【図２３】
0003873784.tif 000024
【図２４】
0003873784.tif 000025
【図２５】
0003873784.tif 000026
【図２６】
0003873784.tif 000027
【図２７】
0003873784.tif 000028
【図２８】
0003873784.tif 000029
【図２９】
0003873784.tif 000030
【図３０】
0003873784.tif 000031